(57)【要約】【課題】使用者の意思に反して運転変更されることのない換気装置を提供することを目的とする。【解決手段】室内の換気を行うファンモーター４と、リモコン１０および調理機器２から発信されるファンモーター４の運転命令信号を受信する受信部６と、受信部６で受信した運転命令信号に基づいてファンモーターを制御する制御部７と、運転命令信号を規制および規制解除できる規制スイッチ操作部１７を備え、規制スイッチ操作部１７により運転命令信号が規制されたときはリモコン１０および調理機器２による換気装置操作が規制され、使用者の意思に反した換気装置の運転変更を防止することができる。【選択図】図４
2005257228.tif 000002
【特許請求の範囲】
【請求項１】
調理機器から発生する油煙等を室外へ排出して室内の換気を行うファンモーターと、リモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記リモコンから発信される運転命令信号による前記ファンモーターの運転を規制し、および前記規制を解除できる規制スイッチ操作部を備えたことを特徴とする換気装置。
【請求項２】
調理機器から発生する油煙等を室外へ排出して室内の換気を行うファンモーターと、前記調理機器から発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器から発信される運転命令信号による前記ファンモーターの駆動制御を規制し、および前記規制を解除できる規制スイッチ操作部を備えたことを特徴とする換気装置。
【請求項３】
調理機器から発生する油煙等を室外へ排出して室内の換気を行うファンモーターと、前記調理機器およびリモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器および前記リモコンから発信される運転命令信号による前記ファンモーターの駆動制御を規制し、および前記規制を解除できる規制スイッチ操作部を備えたことを特徴とする換気装置。
【請求項４】
前記規制スイッチ操作部は規制対象とする運転命令信号を選択自在に構成することを特徴とする請求項３に記載の換気装置。
【請求項５】
前記規制スイッチ操作部は規制対象とする運転命令信号を、リモコンから発信される信号か、調理機器から発信される信号のいずれかに切換え自在な構成としたことを特徴とする請求項３に記載の換気装置。
【請求項６】
前記規制スイッチ操作部の代わりに、換気装置に備えられ手動によりファンモーターの運転を変更できるスイッチ操作部の所定のスイッチを一定時間長押しすることにより、調理機器またはリモコンによる運転命令信号による前記ファンモーターの駆動制御を規制することを特徴とする請求項１〜３のいずれかに記載の換気装置。
【請求項７】
外部からの運転命令信号を規制する操作が行われた場合は換気装置の運転を停止することを特徴とする請求項１〜６のいずれかに記載の換気装置。
【請求項８】
外部からの運転命令信号を規制する操作が行われた場合は、次に規制を解除する操作を受け付けるまで前記規制操作時の換気装置の運転モードに固定することを特徴とする請求項１〜６のいずれかに記載の換気装置。
【請求項９】
外部からの運転命令信号を規制する操作が行われた場合は、換気装置を所定の運転モードで運転し、次に規制を解除する操作を受け付けるまで前記運転モードを継続することを特徴とする請求項１〜６のいずれかに記載の換気装置。
【請求項１０】
前記所定の運転モードは室内の必要換気回数を満たす換気風量である運転モードとすることを特徴とする請求項９記載の換気装置。
【請求項１１】
換気装置に設けた報知手段は、前記受信部が運転命令信号を受信したときに所定時間遅延させて報知することを特徴とする請求項１〜１０のいずれかに記載の換気装置。
【請求項１２】
換気装置に設けた報知手段は、前記規制スイッチ操作部により換気装置への運転命令信号が規制された場合には報知することを特徴とする請求項１〜１０のいずれかに記載の換気装置。
【発明の詳細な説明】
【技術分野】
【０００１】
本発明は、調理機器もしくはリモコンの操作に連動する換気装置に関するものである。
【背景技術】
【０００２】
従来、この種の換気装置は、リモコンや調理機器の操作開始および操作停止に連動して、運転、停止をおこなうものであった（例えば、特許文献１参照）。以下、その構成について図１０を参照しながら説明する。
【０００３】
図に示すように、調理機器１０１の上面に調理機器１０１の運転スイッチ１０２と連動して作動する送信部１０３を設け、調理機器１０１の上方に設置されるレンジフード１０４に送信部１０３からの信号を受信する受信部１０５と、レンジフード１０４の運転・停止を手動で行うフード側スイッチ操作部１０６とを設け、受信部１０５とフード側スイッチ操作部１０６とは電気的に連結して調理機器１０１と連動する換気装置を構成していた。
【０００４】
また、スイッチ操作部１０７と送信部１０８からなるリモコン１０９がレンジフード１０４の周辺壁面に設置されており、スイッチ操作部１０７の操作は送信部１０８から受信部１０５へ伝達されて、リモコン１０９からの信号を受けて連動する換気装置を構成していた。
【特許文献１】特開平５−３２２１７２号公報
【発明の開示】
【発明が解決しようとする課題】
【０００５】
しかしながらこのような換気装置においては、掃除やメンテナンスを行う際、換気運転を停止のままにしておきたい場合や、ある運転モードのままで換気装置を連続運転したい場合でも、ペットや子供の悪戯によるリモコン操作や調理機器の誤動作などの割り込みにより使用者の意思に反して換気装置が連動してしまい設定変更が行われてしまうといった課題があった。
【０００６】
本発明は上記課題を解決するもので、換気装置のリモコンや調理機器の運転命令信号を規制する操作手段を換気装置に設けることにより、使用者の意思に反して運転命令信号を受信して運転変更されることがない換気装置を提供することを目的とする。
【課題を解決するための手段】
【０００７】
本発明の換気装置は上記の目的を達成するために、調理機器から発生する油煙等を室外へ排出して室内の換気を行うファンモーターと、リモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記リモコンから発信される運転命令信号による前記ファンモーターの運転を規制し、および前記規制を解除できる規制スイッチ操作部を前記換気装置に備えたものである。
【０００８】
この手段により、使用者の意思に反して運転変更されることがない換気装置が得られる。
【０００９】
また他の手段は、調理機器から発生する油煙等を室外へ排出して室内の換気を行うファンモーターと、前記調理機器から発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器から発信される運転命令信号による前記ファンモーターの駆動制御を規制し、および前記規制を解除できる規制スイッチ操作部を備えた換気装置の構成としたものである。
【００１０】
この手段により、使用者の意思に反して運転変更されることがない換気装置が得られる。
【００１１】
また他の手段は、調理機器から発生する油煙等を室外へ排出して室内の換気を行うファンモーターと、前記調理機器およびリモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器および前記リモコンから発信される運転命令信号による前記ファンモーターの駆動制御を規制し、および前記規制を解除できる規制スイッチ操作部を備えた換気装置の構成としたものである。
【００１２】
この手段により、使用者の意思に反して運転変更されることがない換気装置が得られる。
【００１３】
また他の手段は、前記規制スイッチ操作部は規制対象とする運転命令信号を選択自在に構成したものである。
【００１４】
この手段により、必要に応じてリモコンの単独規制、調理機器の単独規制、またはリモコンおよび調理機器の両方規制、選択して運転命令信号を規制することができる換気装置が得られる。
【００１５】
また他の手段は、前記規制スイッチ操作部は規制対象とする運転命令信号を、リモコンから発信される信号か、調理機器から発信される信号のいずれかに切換え自在な構成としたものである。
【００１６】
この手段により、切換え操作性が良い換気装置が得られる。
【００１７】
また他の手段は、前記規制スイッチ操作部の代わりに、換気装置に備えられ手動によりファンモーターの運転を変更できるスイッチ操作部の所定のスイッチを一定時間長押しすることにより、調理機器またはリモコンによる運転命令信号による前記ファンモーターの駆動制御を規制するものである。
【００１８】
この手段により、別途規制スイッチ操作部を設けなくても既存のスイッチを活用した換気装置が得られる。
【００１９】
また他の手段は、外部からの運転命令信号を規制する操作が行われた場合は換気装置の運転を停止するものである。
【００２０】
この手段により、安全な停止状態で規制解除を待つことができる換気装置が得られる。
【００２１】
また他の手段は、外部からの運転命令信号を規制する操作が行われた場合は、次に規制を解除する操作を受け付けるまで前記規制操作時の換気装置の運転モードに固定するものである。
【００２２】
この手段により、使用者の意思に反して運転が変更されず、継続的運転が可能な換気装置が得られる。
【００２３】
また他の手段は、外部からの運転命令信号を規制する操作が行われた場合は、換気装置を所定の運転モードで運転し、次に規制を解除する操作を受け付けるまで前記運転モードを継続するものである。
【００２４】
この手段により、特定の運転モードを換気装置に付加でき、規制中であることを知ることができる換気装置が得られる。
【００２５】
また他の手段は、前記所定の運転モードを室内の必要換気回数を満たす換気風量の運転モードとするものである。
【００２６】
この手段により、必要換気回数を満たす小風量の換気運転を、使用者の意思に反して運転変更されることがない換気装置が得られる。
【００２７】
また他の手段は、換気装置に設けた報知手段は、前記受信部が運転命令信号を受信したときに所定時間遅延させて報知するものである。
【００２８】
この手段により、使用者が、調理機器の操作スイッチを操作したときに鳴動するブザーと換気装置の受信部が受信したことを示す報知を識別することができる換気装置が得られる。
【００２９】
また他の手段は、換気装置に設けた報知手段は、前記規制スイッチ操作部により換気装置への運転命令信号が規制された場合には報知するものである。
【００３０】
この手段により、リモコンまたは調理機器からの運転命令操作が受け付けられないことに対して疑念を抱くことを解消することができる換気装置が得られる。
【発明の効果】
【００３１】
本発明によればリモコンや調理機器からの運転命令信号を規制する手段を設けることで、使用者の意思に反した換気装置の運転を防止する換気装置を提供することができる。また、これによって換気装置のメンテナンス時において換気機装置の誤操作による危険を回避することができる。
【００３２】
また、同様にペットや子供の悪戯によるリモコン操作や調理機器の誤動作等の割り込みにより、連続換気運転中の換気装置が設定変更されてしまうことを回避することができる。
【発明を実施するための最良の形態】
【００３３】
本発明の請求項１記載の換気装置は、調理機器から発生する油煙等を室外へ排出して室内の換気を行うファンモーターと、リモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記リモコンから発信される運転命令信号による前記ファンモーターの駆動制御を規制し、および前記規制を解除できる規制スイッチ操作部を備えたものであり、規制スイッチ操作部の操作により前記制御部が規制信号を受け付けた場合は、リモコンから発信される運転命令信号を前記制御部で受け付けず、前記制御部が規制解除信号を受け付けるまではその状態を維持するという作用を有するので、使用者以外の人間もしくはペット等によるリモコン操作による換気装置の誤操作を防ぎ、使用者の意思に反した換気装置の運転を防止することができる。
【００３４】
また、請求項２に記載の換気装置は、調理機器から発生する油煙等を室外へ排出して室内の換気を行うファンモーターと、前記調理機器から発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器から発信される運転命令信号による前記ファンモーターの駆動制御を規制し、および前記規制を解除できる規制スイッチ操作部を備えたものであり、規制スイッチ操作部の操作により前記制御部が規制信号を受け付けた場合は、調理機器から発信される運転命令信号を前記制御部で受け付けず、前記制御部が規制解除信号を受け付けるまではその状態を維持するという作用を有するので、使用者以外の人間もしくはペット等による調理機器操作による換気装置の誤操作を防ぎ、使用者の意思に反した換気装置の運転を防止することができる。
【００３５】
また、請求項３に記載の換気装置は、調理機器から発生する油煙等を室外へ排出して室内の換気を行うファンモーターと、前記調理機器およびリモコンから発信される前記ファンモーターの運転命令信号を受信する受信部と、この受信部で受信した前記運転命令信号に基づいて前記ファンモーターの駆動を制御する制御部と、手動により前記ファンモーターの運転を設定するスイッチ操作部とを有する換気装置であって、前記調理機器および前記リモコンから発信される運転命令信号による前記ファンモーターの駆動制御を規制し、および前記規制を解除できる規制スイッチ操作部を備えたものであり、規制スイッチ操作部の操作により前記制御部が規制信号を受け付けた場合は、調理機器およびリモコンから発信される運転命令信号を前記制御部で受け付けず、前記制御部が規制解除信号を受け付けるまではその状態を維持するという作用を有するので、使用者以外の人間もしくはペット等による調理機器操作による換気装置の誤操作を防ぎ、使用者の意思に反した換気装置の運転を防止することができる。
【００３６】
また、請求項４に記載の発明は、請求項３に記載の発明において、前記規制スイッチ操作部は規制対象とする運転命令信号を選択自在に構成したものであり、リモコンおよび調理機器を個別に規制するだけでなく、リモコンと調理機器の両方を選択し規制するという作用を有するので、調理機器やリモコンの両方による換気装置の誤操作を防ぎ、使用者の意思に反した換気装置の運転を防止することができる。
【００３７】
また、請求項５に記載の発明は、請求項３に記載の発明において、前記規制スイッチ操作部は規制対象とする運転命令信号を、リモコンから発信される信号か、調理機器から発信される信号のいずれかに切換え自在な構成としたものであり、前記規制スイッチ操作部としてスライドスイッチやジョグダイヤルスイッチ等を利用することにより、規制対象信号を自由に選択して切替えることができるという作用を有するので、請求項３と同様の効果と規制スイッチ操作部分のスペースを削減し、かつ操作性のよい効果が得られる。
【００３８】
また、請求項６記載の発明は、請求項１〜３のいずれかに記載の換気装置において、前記規制スイッチ操作部の代わりに、換気装置に備えられ手動によりファンモーターの運転を変更できるスイッチ操作部の所定のスイッチを一定時間長押しすることにより、調理機器またはリモコンによる運転命令信号による前記ファンモーターの駆動制御を規制するものであり、新規に規制スイッチ操作部を設ける必要がなく、既存のスイッチ操作部においてリモコンもしくは調理機器の規制操作を行える作用を有するので、新規に規制スイッチ操作部を設ける必要がなく、換気装置の誤操作を防ぎ、使用者の意思に反した換気装置の運転を防止することができる。
【００３９】
また、請求項７記載の発明は、請求項１〜６のいずれかに記載の換気装置において、外部からの運転命令信号を規制する操作が行われた場合は換気装置の運転を停止するものであり、換気装置の運転中に運転命令信号が規制されたときは、運転変更ができない換気装置の不安全な運転状態から、安全な停止状態にすることができる。
【００４０】
また、請求項８記載の発明は、請求項１〜６のいずれかに記載の換気装置において、外部からの運転命令信号を規制する操作が行われた場合は、次に規制を解除する操作を受け付けるまで前記規制操作時の換気装置の運転モードに固定するものであり、前記規制操作により運転モードが固定された場合はリモコンや調理機器からの割り込み信号があっても運転を変更されない作用を有するので、使用者の意思に反して換気装置の運転が変更されない継続的換気運転を行うことができる。
【００４１】
また、請求項９記載の発明は、請求項１〜６のいずれかに記載の換気装置において、外部からの運転命令信号を規制する操作が行われた場合は、換気装置を所定の運転モードで運転し、次に規制を解除する操作を受け付けるまで前記運転モードを継続するものであり、規制操作時における換気装置の運転状態に関わらず所定の運転モードへ変更するという作用を有するので、使用者の意思に反して換気装置の運転が変更されない特殊な換気運転を換気装置に付加し、かつ使用者は換気装置が規制中であることを認識することができる。
【００４２】
また、請求項１０記載の発明は、請求項９に記載の換気装置において、所定の運転モードを室内の必要換気回数を満たす換気風量の運転モードとするものであり、必要換気回数を満たす小風量の換気運転が規制を解除するまで運転されることになり、室内が必要とする換気回数が使用者の意思に反して運転変更されてしまうことがなく、快適な環境を提供することができる。
【００４３】
また、請求項１１記載の発明は、請求項１〜１０に記載の換気装置において、換気装置に設けた報知手段は、前記受信部が運転命令信号を受信したときに所定時間遅延させて報知するものであり、通常、調理機器の操作スイッチを操作したときに発せられるブザーが鳴動した後、換気装置に設けた報知手段が使用者に報知することにより、使用者は、調理機器の操作スイッチを操作したときに鳴動するブザーと換気装置の受信部が受信したことを示す報知を識別することができる。
【００４４】
また、請求項１２記載の発明は、請求項１〜１０に記載の換気装置において、換気装置に設けた報知手段は、前記規制スイッチ操作部により換気装置への運転命令信号が規制された場合には報知するものであり、使用者は運転命令信号が規制されたことを知ることができるので、その後リモコンまたは調理機器からの運転命令操作が受け付けられないことに対して疑念を抱くことを解消することができる。
【００４５】
以下、本発明の実施形態について図１〜図９を参照しながら説明する。
【００４６】
（実施の形態１）
図１〜図４に示すように、調理機器スイッチ操作部１を設けた調理機器２に、調理機スイッチ操作部１の操作状態を信号として送信する送信部３を設け、調理機器２を使用して調理したときに発生する油煙を屋外に排出できるようにファンモーター４を内部に設けたフード形状で調理機器２上に配設される換気装置５を設ける。また、周辺壁面にはファンモーター４を運転するための運転命令信号を発信するリモコン送信部１１とリモコンスイッチ操作部１２を備えたリモコン１０を設ける。
【００４７】
そして、換気装置５には調理機器２に設けた送信部３から赤外線により送られてきた運転命令信号１３やリモコン１０のリモコン送信部１１より赤外線により送られてきた運転命令信号１４を受信する受信部６と、受信部６で受信した運転命令信号に基づいてファンモーター４の風量等を制御する制御部７と、リモコンスイッチ操作部１２による運転命令信号１４を規制する規制信号１５もしくは調理機器スイッチ操作部１による運転命令信号１３を規制する規制信号１６のいずれか一方を制御部７へ送信する規制スイッチ操作部１７と、受信部６に信号が受信されたことを報知する報知手段８とを備えている。また、換気装置５に設けられるスイッチ操作部９を手動操作することで制御部７を介しファンモーター４の運転を制御するように構成されている。
【００４８】
図２には、規制信号１５もしくは規制信号１６を送信する規制スイッチ操作部１７の例としてスライドスイッチ１８を示している。スライドスイッチ１８をリモコン規制表示１９の位置へ切り替えることにより制御部７へ規制信号１５が送信され、リモコンスイッチ操作部１２による運転命令信号１４を制御部７で受け付けなくなる構成とする。同様に調理機器規制表示２０の位置にスライドスイッチ１８を切り替えることにより、調理機器スイッチ操作部１の操作により送られてきた運転命令信号１３を受け付けなくなる。
【００４９】
また、調理機器２の調理機器スイッチ操作部１を操作したとき、操作を受けつけたことを報知するために調理機器２側においてブザーが鳴動するので、受信部６に信号を受信した直後に換気装置５側で報知手段８によりブザーを鳴動すると、どちらのブザーが鳴動したのか判断できない。そのため、換気装置５に設けられる報知手段８は、受信部６で受信した信号が切または運転開始の信号のときは、所定時間遅延させて報知するように構成する。
【００５０】
上記構成において、換気装置の動作を図５のフローチャートに基づいて説明する。
【００５１】
換気装置５の電源が「入」になると、ステップ２１で制御部７で受け付けた信号が規制信号か否かを判断し、ファンモーター４を運転する運転命令信号の受信であると判断されたときは、ステップ３４で換気装置５の運転命令信号の受信が確定し、ステップ３５でリモコン１０か調理機器２による運転命令信号もしくはスイッチ操作部９による手動運転命令信号か否かを判断し、リモコン１０か調理機器２による運転命令信号であると判断されたときはステップ３６で調理機器２からの運転命令信号か否かを判断し、リモコンスイッチ操作部１２による運転命令信号の受信であると判断されたときは、ステップ４３でリモコン１０による運転命令信号であると確定し、ステップ４４でリモコンスイッチ操作部１２の運転命令信号が規制中か否かを判断し、規制中でないと判断されたときには、ステップ４６で運転命令信号に基いてファンモーター４の風量が設定され、ステップ４７でファンモーター４の運転が行われるとともに、受信から所定時間経過後、ステップ４８で報知手段８によりブザー報知が行われる。なお、ここで所定時間とは、０．５秒間程度が望ましい。
【００５２】
ステップ４４でリモコンスイッチ操作部１２の運転命令信号が規制中であると判断されたときは、換気装置の運転変更は行わず、ステップ４５で報知手段８によりブザー報知が行われる。
【００５３】
ステップ３６で調理機器２からの運転命令信号であると判定されたときは、ステップ３７で調理機器２による運転命令信号と確定し、ステップ３８で調理機器２の運転命令信号が規制中であるか否かを判断し、調理機器２の運転命令信号が規制中であると判断されたときは換気装置５の運転変更は行わず、受信から所定時間経過後、ステップ３９で報知手段８によりブザー報知が行われる。
【００５４】
ステップ３８で調理機器２の運転命令信号が規制中でないと判定されたときはステップ４０でファンモーター４の風量設定が行われ、ステップ４１でファンモーター４の運転が行われると共に、受信から所定時間経過後、ステップ４２で報知手段８によりブザー報知が行われる。
【００５５】
ステップ３５で手動でスイッチ操作部９を操作したことによる手動運転命令信号と判断されたときは、ステップ４９で手動運転命令信号と確定し、ステップ５０でファンモーター４の風量設定が行われ、ステップ５１でファンモーター４の運転が行われると共に、受信から所定時間経過後、ステップ５２で報知手段８によりブザー報知が行われる。
【００５６】
また、ステップ２１で受け付けた信号が規制信号であると判断されたときは、ステップ２２でリモコン操作を規制する規制信号１５か否かを判断し、規制信号１５でないと判断されたときはステップ２８で調理機器２の規制信号と確定し、ステップ２９で調理機器スイッチ操作部１による運転命令信号が規制中かどうかを判断し、規制中でないと判断された場合はステップ３２で調理機器２に設けた送信部３から赤外線により送られてきた運転命令信号１３を制御部７で認識しない規制が行われると共に、受信から所定時間経過後、ステップ３３で報知手段８によりブザー報知が行われる。
【００５７】
ステップ２９で調理機器２の運転命令信号が規制中であると判断されたときはステップ３０で調理機器の規制解除信号と確定し、調理機器２の操作規制解除を行うと共に、受信から所定時間経過後、ステップ３１で報知手段８によりブザー報知が行われる。
【００５８】
また、ステップ２２でリモコンの規制信号であると判断されたときは、ステップ２３でリモコンの運転命令信号が規制中かどうかを判断し、規制中であると判断されたときはステップ２４でリモコンの規制解除信号と確定し、リモコン操作の規制解除を行うとともに、受信から所定時間経過後、ステップ２５で報知手段８によりブザー報知が行われる。ステップ２３でリモコン運転命令信号の規制が行われていないと判断された場合は、ステップ２６でリモコン規制信号と確定し、リモコン操作の規制を行うと共に、ステップ２７において報知手段８によりブザー報知が行われる。
【００５９】
このように本発明の実施の形態１の換気装置によれば、調理機器２側から発生する油煙等を排出するようにファンモーター４を設けた換気装置５と、この換気装置５には調理機器２に設けた送信部３から赤外線により送られてきた運転命令信号１３もしくはリモコン１０のリモコン送信部１１より赤外線により送られてきた運転命令信号１４を受信する受信部６と、受信部６に受信した信号に基づいてファンモーター４の風量等を制御する制御部７と、受信部６で受けた運転命令信号１３を規制する規制信号１５もしくは運転命令信号１４を規制する規制信号１６を制御部７へ送信する規制スイッチ操作部１７と、受信部６に信号が受信されたことを報知する報知手段８を備え、前記規制スイッチ操作部１７によりリモコン１０または調理機器２から発信される運転命令信号が規制されたときは、受信部６に受信した調理機器２またはリモコン１０から発信される運転命令信号を制御部７で受け付けず、制御部７が規制解除信号を受け付けるまではその状態を維持するので、使用者以外の人間もしくはペット等による調理機器やリモコン操作による不意の換気装置の運転や誤操作を防ぎ、使用者の意思に反した換気装置の運転を防止することができる。
【００６０】
また、規制スイッチ操作部１７としてスライドスイッチ１８や図３に示すようなジョグダイヤルスイッチ８５を用いることにより、省スペースで場所をとらず、また規制対象信号を調理機器２またはリモコン１０に容易に選択自在で、また、切り替え自在な可能な規制スイッチ操作部を提供できるので、換気装置の誤動作を効果的に防止し、操作性のよい規制スイッチ操作ができる。
【００６１】
（実施の形態２）
図６に示すように、規制スイッチ操作部を設けず、スイッチ操作部９の所定の操作ボタンを一定時間以上長押しすることにより、制御部７で規制信号１５もしくは規制信号１６を認識し、リモコンスイッチ操作部１２の操作による運転命令信号１４もしくは調理機器スイッチ操作部１の操作による運転命令信号１３を制御部７で受け付けない構成とする。なお、実施の形態１で説明した図４に示す構成要素と同一符号のものは同様の構成要素であり、その説明は省略する。
【００６２】
この構成の一例を示す。図７に示すスイッチ操作部９のファンモーター停止用ボタン５３が３秒以上長押しされた場合は規制信号１５が制御部７で認識されてリモコン操作規制状態となり、リモコンスイッチ操作部１２による運転命令信号を換気装置５Ａが受け付けない状態となる。そして、リモコン操作規制状態を解除したい場合は同様にファンモーター停止用ボタン５３を３秒以上長押しすることにより、リモコン操作規制状態を解除することができる。
【００６３】
上記構成において、リモコン１０Ａや調理機器２Ａによる操作を規制する規制スイッチ操作部を新規に設けなくても、ファンモーター４の運転を制御するスイッチ操作部９を利用してリモコン１０Ａや調理機器２Ａの操作による運転を規制することが可能となる。
【００６４】
このように本発明の実施の形態２の換気装置によれば、換気装置５Ａに取り付けられたスイッチ操作部９において、スイッチ操作部９のスイッチが一定時間長押しされたときは制御部７で規制信号を受け付け、リモコン１０Ａもしくは調理機器２Ａのスイッチ操作による運転命令信号を規制し、再度スイッチ操作部のスイッチが一定時間長押しされたときは制御部７で規制解除信号を受け付け、リモコン１０Ａもしくは調理機器２Ａのスイッチ操作による運転命令信号を受け付ける構成としたもので、新規に規制スイッチ操作部を設ける必要がなく既に開発されたスイッチ操作部９においてリモコンもしくは調理機器の運転命令信号規制を行いかつその解除をすることができる。
【００６５】
また、図６に示すように、リモコン１０Ａのリモコンスイッチ操作部１２や調理機器２Ａの調理機器スイッチ操作部１において同様に操作スイッチを一定時間以上長押しすることにより、リモコン１０Ａや調理機器２Ａからも規制信号を発信する構成とすれば、リモコン１０Ａの場合は規制信号１５を、調理機器２Ａの場合は規制信号１６を各送信部から換気装置５Ａの受信部へ送信し、制御部７において規制信号を受け付け、リモコン１０Ａおよび調理機器２Ａからの運転命令信号を規制することが可能である。
【００６６】
（実施の形態３）
図８に示すように、換気装置５Ｂにおいて、リモコン１０Ａと調理機器２Ａのスイッチ操作規制信号を制御部７Ａで受け付けた場合は、ファンモーター４Ａは予め設定された換気風量に回転数を調整し、小風量の２４時間連続換気運転を行う構成とする。
【００６７】
この場合の２４時間連続換気運転とは、室内の必要換気回数により計算される小風量の換気風量でファンモーターを運転するものであり、必ずしも常時運転し続けることを意図するものではない。なお、実施の形態１で説明した図４に示す構成要素と同一符号のものは同様の構成要素であり、その説明は省略する。
【００６８】
この換気装置５Ｂの動作を図９に示すフローチャートで説明する。ステップ５５で制御部７Ａが受け付けた信号が規制信号か否かを判断し、規制信号であると判断したときはステップ５６でその規制信号がリモコンからの規制信号１５か否かを判断し、リモコンからの規制信号１５であると判断したときは、ステップ５７でファンモーター４Ａが２４時間連続換気で運転中か否かを判断し、２４時間連続換気運転中でないと判断されたときはステップ６２でリモコンの運転命令信号が規制されているか否かを判断し、リモコン１０Ａの運転命令信号が規制されていないと判断されたときは、ステップ６５でリモコン１０Ａの運転命令信号が規制される。
【００６９】
そしてステップ６６で調理機器２Ａから発信される運転命令信号が規制されているか否かを判断し、調理機器２Ａの運転命令信号が規制されていると判断されたときは、ステップ６７で２４時間連続換気運転設定へファンモーター４Ａが制御され、室内の換気回数に応じてあらかじめ設定された風量で回転を始め、受信から所定時間経過後、ステップ６８で報知手段８によりブザー報知が行われる。
【００７０】
また、ステップ５７で２４時間連続換気運転中であると判断されたときはステップ５８で２４時間連続換気設定を解除すると同時にステップ５９でリモコンによる運転命令信号の規制が解除され、受信から所定時間経過後、ステップ６０で報知手段８によりブザー報知が行われる。そしてステップ６１で２４時間連続換気モードから通常運転モードへ戻る。
【００７１】
この場合の通常運転モードとはスイッチ操作部９の操作によって制御される運転モードであり、２４時間連続換気運転モードから通常運転モードへ戻る場合は、２４時間連続換気運転モードへ移行する以前の運転状態を制御部７Ａで記憶しており、その記憶している運転状態へ戻る構成とする。
【００７２】
また、ステップ６２でリモコン１０Ａの運転命令信号の規制解除信号であると判定されたときはステップ６３でリモコン１０Ａの運転命令信号規制が解除され、受信から所定時間経過後、ステップ６４で報知手段８によりブザー報知が行われる。
【００７３】
ステップ５６でリモコン１０Ａの運転命令信号の規制信号ではないと判断されたときはステップ７０で調理機器２Ａにおける規制信号１６であると確定し、次にステップ７１で２４時間連続換気運転モードとして換気装置５Ｂが運転中であるか否か判断し、２４時間連続換気運転中であると判断されたときは、ステップ７２で２４時間連続換気モードが解除されると同時にステップ７３で調理機器２Ａにおける運転命令信号規制が解除され、受信から所定時間経過後、ステップ７４で報知手段８によりブザー報知が行われ、ステップ７５で２４時間連続換気設定から通常運転モードへ戻る。
【００７４】
また、ステップ７１で２４時間連続換気中でないと判断されたときはステップ７６で調理機器からの運転命令信号が規制中か否かを判断し、調理機器２Ａからの運転命令信号が規制中であると判断されたときはステップ７７で調理機器２Ａの運転命令信号規制を解除し、受信から所定時間経過後、ステップ７８で報知手段８によりブザー報知が行われる。
また、ステップ７６で調理機器の運転命令信号が規制中でないと判断されたときはステップ７９で調理機器２Ａの運転命令信号が規制され、ステップ８０でリモコンによる運転命令信号が規制中か否かを判断し、リモコン１０Ａの運転命令信号が規制中であると判断されたときはステップ８１で２４時間連続換気運転モードへファンモーター４Ａが制御され、室内の所定の換気回数に応じてあらかじめ設定された風量で換気運転を開始し、受信から所定時間経過後、ステップ８２で報知手段８によりブザー報知が行われる。
【００７５】
ステップ８０でリモコン１０Ａによる運転命令信号が規制中でないと判断されたときは制御部７Ａではファンモーター４Ａの運転変更を行わず、受信から所定時間経過後、ステップ８３で報知手段８によりブザー報知が行われる。
【００７６】
上記のステップ６７、ステップ８１のように２４時間連続換気運転モードへ換気装置５Ｂが移行したときは、リモコン１０Ａもしくは調理機器２Ａのどちらか一方の運転命令信号の規制が解除されるまで２４時間連続換気運転モードは解除されない構成であり、室内の２４時間連続換気を行いたい場合において、使用者以外の人間やペット等の調理機器やリモコンの操作によって、換気装置の運転状態が変更されることを回避することができる。
【００７７】
このようにリモコンや調理機器の規制信号を制御部で受け付けた場合は、換気装置の運転モードを所定の運転モードに変更する構成とすることにより、スイッチ操作部で設定する通常運転モードとは違う特殊な換気運転スイッチとして使用され、規制解除を受け付けるまで容易に設定変更されない換気運転を実現できる。
【００７８】
また、上記構成は室内の２４時間連続換気運転を例として挙げたが、使用者の操作によりリモコン１０Ａと調理機器２Ａのスイッチ操作規制信号を制御部７Ａで受け付けた場合に、リモコンや調理機器による運転命令信号が規制され換気装置の操作が不可能な状態であることから、換気装置が不安全な状態であると判断し、換気装置の運転を停止する構成とすれば、換気装置や調理機器のメンテナンス時において不安全な状態を回避する手段として有効である。
【００７９】
（実施の形態４）
本実施の形態の換気装置は、外部からの運転命令信号を規制する操作が行われた場合は、次に規制を解除する操作を受け付けるまで前記規制操作時の換気装置の運転モードに固定することを特徴とする構成である。
【００８０】
上記構成において、規制スイッチ操作部１７による操作（スライドスイッチ１８やジョグダイヤルスイッチ８５の操作）や、スイッチ操作部９の一定時間長押し操作を行うことにより、リモコンまたは調理機器からの運転命令信号が規制された場合は、その時点における換気装置の運転モードが次に規制が解除されるまで継続されることになる。
【００８１】
このように外部からの運転命令信号を規制する操作が行われた場合に、次に規制を解除する操作を受け付けるまで前記規制操作時の換気装置の運転モードに固定するので、リモコンや調理機器からの割り込み信号があっても運転を変更されないため、使用者の意思に反して換気装置の運転が変更されない継続的換気運転を行うことができる。
【産業上の利用可能性】
【００８２】
リモコンや調理機器においても本発明の規制手段を設けることにより、ペットや子供のいたずらによる換気装置の誤操作を防止することができる。また、この規制操作手段は換気装置、リモコン、調理機器に限らず、パソコンや携帯電話等の端末機器においても適用でき、出先などの遠方からでも規制操作を設定し忘れた場合に換気装置の規制が可能となり有効である。
【図面の簡単な説明】
【００８３】
【図１】本発明の実施の形態１の換気構成を示す正面図
【図２】同換気装置の規制スイッチ操作部を示す正面図
【図３】同換気装置の他の規制スイッチ操作部を示す正面図
【図４】同換気装置の構成を示すブロック図
【図５】同換気装置の動作を示すフローチャート
【図６】本発明の実施の形態２の換気装置の構成を示すブロック図
【図７】同換気装置のスイッチ操作部を示す正面図
【図８】本発明の実施の形態３の換気装置の構成を示すブロック図
【図９】同換気装置の動作を示すフローチャート
【図１０】従来の換気装置の構成を示す正面図
【符号の説明】
【００８４】
１              調理機器スイッチ操作部
２、２Ａ        調理機器
３              送信部
４、４Ａ        ファンモーター
５、５Ａ、５Ｂ  換気装置
６              受信部
７、７Ａ        制御部
９              スイッチ操作部
１０、１０Ａ    リモコン
１１            リモコン送信部
１２            リモコンスイッチ操作部
１３、１４      運転命令信号
１５、１６      規制信号
１７            規制スイッチ操作部
【図１】
2005257228.tif 000003
【図２】
2005257228.tif 000004
【図３】
2005257228.tif 000005
【図４】
2005257228.tif 000006
【図５】
2005257228.tif 000007
【図６】
2005257228.tif 000008
【図７】
2005257228.tif 000009
【図８】
2005257228.tif 000010
【図９】
2005257228.tif 000011
【図１０】
2005257228.tif 000012